(57)【要約】  第１の特徴に係る基地局は、複数のユーザ端末を含むグループが在圏するセルを管理する。前記基地局は、前記複数のユーザ端末に対してマルチキャストデータの送信を開始する場合、半永続スケジューリングの有効化を前記複数のユーザ端末のそれぞれに指示する制御部と、前記半永続スケジューリングを使用して、物理下りリンク共有チャネルを介して前記複数のユーザ端末に前記マルチキャストデータを送信する送信部と、を備える。
2016121671.tif 000002
【特許請求の範囲】
【請求項１】
複数のユーザ端末を含むグループが在圏するセルを管理する基地局であって、
前記複数のユーザ端末に対してマルチキャストデータの送信を開始する場合、半永続スケジューリングの有効化を前記複数のユーザ端末のそれぞれに指示する制御部と、
前記半永続スケジューリングを使用して、物理下りリンク共有チャネルを介して前記複数のユーザ端末に前記マルチキャストデータを送信する送信部と、を備えることを特徴とする基地局。
【請求項２】
前記有効化は、物理下りリンク制御チャネルを介して指示され、
前記制御部は、前記グループ内のユーザ端末に対して前記有効化を繰り返し指示することを特徴とする請求項１に記載の基地局。
【請求項３】
前記制御部は、前記マルチキャストデータの送信を開始した後においても、前記グループ内のユーザ端末に対して前記有効化を指示することを特徴とする請求項１に記載の基地局。
【請求項４】
前記制御部は、前記グループ内のユーザ端末に対して、定期的に前記有効化を指示することを特徴とする請求項２に記載の基地局。
【請求項５】
前記送信部は、前記半永続スケジューリングの設定に関する設定情報を含むメッセージを送信し、
前記メッセージを送信する場合、前記制御部は、前記半永続スケジューリングが有効化されていることを示す有効化通知情報を前記メッセージに含めることを特徴とする請求項１に記載の基地局。
【請求項６】
前記制御部は、前記半永続スケジューリングの有効化を前記複数のユーザ端末のそれぞれに指示した後において前記メッセージを送信する場合、前記有効化通知情報を前記メッセージに含めることを特徴とする請求項５に記載の基地局。
【請求項７】
前記メッセージは、ブロードキャストＲＲＣメッセージ、個別ＲＲＣメッセージ、又はＭＡＣメッセージであることを特徴とする請求項５に記載の基地局。
【請求項８】
前記マルチキャストデータの受信に対する興味に関する興味通知をユーザ端末から受信する受信部を備え、
前記半永続スケジューリングの有効化を前記複数のユーザ端末のそれぞれに指示した後において前記興味通知を受信した場合、前記送信部は、前記有効化通知情報を含む前記メッセージを前記ユーザ端末に送信することを特徴とする請求項５に記載の基地局。
【請求項９】
複数のユーザ端末を含むグループに属するユーザ端末であって、
基地局から半永続スケジューリングの有効化指示を受信した場合、前記半永続スケジューリングを有効化する制御部と、
前記半永続スケジューリングを使用して、物理下りリンク共有チャネルを介して前記基地局から前記複数のユーザ端末に送信されるマルチキャストデータを受信する受信部と、を備えることを特徴とするユーザ端末。
【請求項１０】
前記有効化は、物理下りリンク制御チャネルを介して指示され、
前記制御部は、前記有効化指示を受信した後において前記基地局から前記有効化指示を改めて受信した場合、該有効化指示を無視することを特徴とする請求項９に記載のユーザ端末。
【請求項１１】
前記受信部は、前記半永続スケジューリングの設定を示す設定情報を含むメッセージを前記基地局から受信し、
前記半永続スケジューリングが有効化されていることを示す有効化通知情報が前記メッセージに含まれている場合、前記制御部は、前記設定情報に対応する前記半永続スケジューリングが有効化されていると判断することを特徴とする請求項９に記載のユーザ端末。
【請求項１２】
前記メッセージは、ブロードキャストＲＲＣメッセージ、個別ＲＲＣメッセージ、又はＭＡＣメッセージであることを特徴とする請求項１１に記載のユーザ端末。
【請求項１３】
前記マルチキャストデータの受信に対する興味に関する興味通知を前記基地局に送信する送信部を備え、
前記興味通知の送信後、前記受信部は、前記有効化通知情報を含む前記メッセージを前記基地局から受信することを特徴とする請求項１１に記載のユーザ端末。
【発明の詳細な説明】
【技術分野】
【０００１】
本出願は、移動通信システムにおける基地局及びユーザ端末に関する。
【背景技術】
【０００２】
移動通信システムの標準化プロジェクトである３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、マルチキャスト／ブロードキャスト伝送を実現する技術として、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）が仕様化されている。【０００３】
ＭＢＭＳにおいて、複数のセルは、ＭＢＳＦＮ（Ｍｕｌｔｉｃａｓｔ−Ｂｒｏａｄｃａｓｔ  Ｓｉｎｇｌｅ−Ｆｒｅｑｕｅｎｃｙ  Ｎｅｔｗｏｒｋ）サブフレームと称される特別なサブフレームを使用して、同一のＭＢＳＦＮエリアに属する複数のセルが同一のマルチキャスト／ブロードキャストデータを送信する。ユーザ端末は、複数のセルから送信されるマルチキャスト／ブロードキャストデータを受信する。【０００４】
ＭＢＭＳは、ＭＢＳＦＮサブフレームがＭＢＭＳ用となってしまうことに加えて、ＭＢＳＦＮサブフレームを動的に変更することが困難であるため、無線リソースの無駄が生じ易い。【０００５】
一方で、無線リソースの利用効率を高めつつマルチキャスト伝送を実現するために、単一セルＰＴＭ（ＳＣＰＴＭ：Ｓｉｎｇｌｅ−Ｃｅｌｌ  Ｐｏｉｎｔ−Ｔｏ−Ｍｕｌｔｉｐｏｉｎｔ）伝送が検討されている。ＭＢＳＦＮエリア単位でのマルチキャスト／ブロードキャスト伝送が適用されるＭＢＭＳとは異なり、ＳＣＰＴＭにはセル単位でのマルチキャスト伝送が適用される。また、ＳＣＰＴＭにおいて、複数のユーザ端末に対するマルチキャストデータを送信するために物理下りリンク共有チャネル（ＰＤＳＣＨ）が使用されることが想定されている。
【先行技術文献】
【非特許文献】
【０００６】
【非特許文献１】３ＧＰＰ寄書「ＲＰ−１４２２０５」
【発明の概要】
【０００７】
第１の特徴に係る基地局は、複数のユーザ端末を含むグループが在圏するセルを管理する。前記基地局は、前記複数のユーザ端末に対してマルチキャストデータの送信を開始する場合、半永続スケジューリングの有効化を前記複数のユーザ端末のそれぞれに指示する制御部と、前記半永続スケジューリングを使用して、物理下りリンク共有チャネルを介して前記複数のユーザ端末に前記マルチキャストデータを送信する送信部と、を備える。
【０００８】
第２の特徴に係るユーザ端末は、複数のユーザ端末を含むグループに属する。前記ユーザ端末は、基地局から半永続スケジューリングの有効化指示を受信した場合、前記半永続スケジューリングを有効化する制御部と、前記半永続スケジューリングを使用して、物理下りリンク共有チャネルを介して前記基地局から前記複数のユーザ端末に送信されるマルチキャストデータを受信する受信部と、を備える。
【図面の簡単な説明】
【０００９】
【図１】第１実施形態及び第２実施形態に係るＬＴＥシステムの構成図である。
【図２】第１実施形態及び第２実施形態に係る無線インターフェイスのプロトコルスタック図である。
【図３】第１実施形態及び第２実施形態に係る無線フレームの構成図である。
【図４】第１実施形態及び第２実施形態に係るＵＥのブロック図である。
【図５】第１実施形態及び第２実施形態に係るｅＮＢのブロック図である。
【図６】第１実施形態及び第２実施形態に係るＳＣＰＴＭを説明するための図である。
【図７】第１実施形態に係る動作シーケンスの一例を示す図である。
【図８】第２実施形態に係る動作シーケンスの一例を示す図である。
【発明を実施するための形態】
【００１０】
［実施形態の概要］
ところで、ＰＤＳＣＨにおける無線リソース割り当ては、通常、物理下りリンク制御チャネル（ＰＤＣＣＨ）を介した動的スケジューリングである。具体的には、サブフレーム内のＰＤＳＣＨの割り当てごとに、当該サブフレーム内のＰＤＣＣＨを介してユーザ端末にスケジューリング情報が送信される。
【００１１】
しかしながら、このような動的スケジューリングをＳＣＰＴＭに適用する場合、スケジューリングが複雑になる懸念がある。
【００１２】
そこで、本出願は、複数のユーザ端末に対するマルチキャスト伝送を行う場合において効率的なスケジューリングを可能とする基地局及びユーザ端末を提供することを目的とする。
【００１３】
第１実施形態及び第２実施形態に係る基地局は、複数のユーザ端末を含むグループが在圏するセルを管理する。前記基地局は、前記複数のユーザ端末に対してマルチキャストデータの送信を開始する場合、半永続スケジューリングの有効化を前記複数のユーザ端末のそれぞれに指示する制御部と、前記半永続スケジューリングを使用して、物理下りリンク共有チャネルを介して前記複数のユーザ端末に前記マルチキャストデータを送信する送信部と、を備える。
【００１４】
第１実施形態において、前記有効化は、物理下りリンク制御チャネルを介して指示され、前記制御部は、前記グループ内のユーザ端末に対して前記有効化を繰り返し指示する。
【００１５】
第１実施形態において、前記制御部は、前記マルチキャストデータの送信を開始した後においても、前記グループ内のユーザ端末に対して前記有効化を指示する。
【００１６】
第１実施形態において、前記制御部は、前記グループ内のユーザ端末に対して、定期的に前記有効化を指示する。
【００１７】
第２実施形態において、前記送信部は、前記半永続スケジューリングの設定に関する設定情報を含むメッセージを送信する。前記メッセージを送信する場合、前記制御部は、前記半永続スケジューリングが有効化されていることを示す有効化通知情報を前記メッセージに含める。
【００１８】
第２実施形態において、前記制御部は、前記半永続スケジューリングの有効化を前記複数のユーザ端末のそれぞれに指示した後において前記メッセージを送信する場合、前記有効化通知情報を前記メッセージに含める。
【００１９】
第２実施形態において、前記メッセージは、ブロードキャストＲＲＣメッセージ、個別ＲＲＣメッセージ、又はＭＡＣメッセージである。
【００２０】
第２実施形態において、前記基地局は、前記マルチキャストデータの受信に対する興味に関する興味通知をユーザ端末から受信する受信部を備える。前記半永続スケジューリングの有効化を前記複数のユーザ端末のそれぞれに指示した後において前記興味通知を受信した場合、前記送信部は、前記有効化通知情報を含む前記メッセージを前記ユーザ端末に送信する。
【００２１】
第１実施形態及び第２実施形態に係るユーザ端末は、複数のユーザ端末を含むグループに属する。前記ユーザ端末は、基地局から半永続スケジューリングの有効化指示を受信した場合、前記半永続スケジューリングを有効化する制御部と、前記半永続スケジューリングを使用して、物理下りリンク共有チャネルを介して前記基地局から前記複数のユーザ端末に送信されるマルチキャストデータを受信する受信部と、を備える。
【００２２】
第１実施形態において、前記有効化は、物理下りリンク制御チャネルを介して指示される。前記制御部は、前記有効化指示を受信した後において前記基地局から前記有効化指示を改めて受信した場合、該有効化指示を無視する。
【００２３】
第２実施形態において、前記受信部は、前記半永続スケジューリングの設定を示す設定情報を含むメッセージを前記基地局から受信する。前記半永続スケジューリングが有効化されていることを示す有効化通知情報が前記メッセージに含まれている場合、前記制御部は、前記設定情報に対応する前記半永続スケジューリングが有効化されていると判断する。
【００２４】
第２実施形態において、前記メッセージは、ブロードキャストＲＲＣメッセージ、個別ＲＲＣメッセージ、又はＭＡＣメッセージである。
【００２５】
第２実施形態において、前記ユーザ端末は、前記マルチキャストデータの受信に対する興味に関する興味通知を前記基地局に送信する送信部を備える。前記興味通知の送信後、前記受信部は、前記有効化通知情報を含む前記メッセージを前記基地局から受信する。
【００２６】
［第１実施形態］
以下において、３ＧＰＰ規格に基づく移動通信システムであるＬＴＥシステムに本出願の内容を適用する場合の実施形態を説明する。
【００２７】
（ＬＴＥシステムの概要）
先ず、ＬＴＥシステムのシステム構成について説明する。図１は、ＬＴＥシステムの構成図である。
【００２８】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２９】
ＵＥ１００は、ユーザ端末に相当する。ＵＥ１００は、移動型の通信装置であり、セル（サービングセル）との無線通信を行う。ＵＥ１００の構成については後述する。
【００３０】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３１】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００３２】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００３３】
また、Ｅ−ＵＴＲＡＮ１０は、ＭＣＥ（Ｍｕｌｔｉ−Ｃｅｌｌ／Ｍｕｌｔｉｃａｓｔ  Ｃｏｏｒｄｉｎａｔｉｎｇ  Ｅｎｔｉｔｙ）１１を含む。ＭＣＥ１１は、Ｍ２インターフェイスを介してｅＮＢ２００と接続され、Ｍ３インターフェイスを介してＭＭＥ３００と接続される。ＭＣＥ１１は、ＭＢＳＦＮ無線リソース管理・割当等を行う。
【００３４】
ＥＰＣ２０は、ＭＢＭＳ  ＧＷ（Ｍｕｌｔｉｍｅｄｉａ  Ｂｒｏａｄｃａｓｔ  Ｍｕｌｔｉｃａｓｔ  Ｓｅｒｖｉｃｅ  Ｇａｔｅｗａｙ）２１を含む。ＭＢＭＳ  ＧＷ２１は、Ｍ１インターフェイスを介してｅＮＢ２００と接続され、Ｓｍインターフェイスを介してＭＭＥ３００と接続され、ＳＧ−ｍｂ及びＳＧｉ−ｍｂインターフェイスを介してＢＭ−ＳＣ２２（後述）と接続される。ＭＢＭＳ  ＧＷ２１は、ｅＮＢ２００に対してＩＰマルチキャストのデータ伝送やセッション制御を行う。
【００３５】
また、ＥＰＣ２０は、ＢＭ−ＳＣ（Ｂｒｏａｄｃａｓｔ  Ｍｕｌｔｉｃａｓｔ  Ｓｅｒｖｉｃｅ  Ｃｅｎｔｅｒ）２２を含む。ＢＭ−ＳＣ２２は、ＳＧ−ｍｂ及びＳＧｉ−ｍｂインターフェイスを介してＭＢＭＳ  ＧＷ２１と接続され、ＳＧｉインターフェイスを介してＰ−ＧＷ２３と接続される。ＢＭ−ＳＣ２２は、主にＴＭＧＩ（Ｔｅｍｐｏｒａｒｙ  Ｍｏｂｉｌｅ  Ｇｒｏｕｐ  Ｉｄｅｎｔｉｔｙ）の管理・割当等を行う。
【００３６】
さらに、ＥＰＣ２０の外部（すなわち、インターネット）には、ＧＣＳ  ＡＳ（Ｇｒｏｕｐ  Ｃｏｍｍｕｎｉｃａｔｉｏｎ  Ｓｅｒｖｉｃｅ  Ａｐｐｌｉｃａｔｉｏｎ  Ｓｅｒｖｅｒ）３１が設けられる。ＧＣＳ  ＡＳ３１は、グループ通信用のアプリケーションサーバである。ＧＣＳ  ＡＳは、ＭＢ２−Ｕ及びＭＢ２−Ｃインターフェイスを介してＢＭ−ＳＣ２２と接続され、ＳＧｉインターフェイスを介してＰ−ＧＷ２３と接続される。ＧＣＳ  ＡＳ３１は、グループ通信におけるグループの管理やデータ配信（ＭＢＭＳを使うか、ユニキャストを使うかの判断も含む）等を行う。
【００３７】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３９】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４１】
ＰＤＣＰ層は、ヘッダ圧縮・伸張、及び暗号化・復号化を行う。
【００４２】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４３】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４４】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４５】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００４６】
下りリンクにおいて、各サブフレームの先頭数シンボルの区間は、主に下りリンク制御信号を伝送するための物理下りリンク制御チャネル（ＰＤＣＣＨ）として使用される領域である。また、各サブフレームの残りの部分は、主に下りリンクデータを伝送するための物理下りリンク共有チャネル（ＰＤＳＣＨ）として使用できる領域である。また、各サブフレームには、セル固有参照信号（ＣＲＳ：Ｃｅｌｌ  ｓｐｅｃｉｆｉｃ  Ｒｅｆｅｒｅｎｃｅ  Ｓｉｇｎａｌ）などの下りリンク参照信号が配置される。
【００４７】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。また、各サブフレームには、サウンディング参照信号（ＳＲＳ）などの上りリンク参照信号が配置される。
【００４８】
（ＵＥ１００の構成）
図４は、ＵＥ１００（ユーザ端末）の構成を示すブロック図である。図４に示すように、ＵＥ１００は、受信部１１０、送信部１２０、及び制御部１３０を備える。
【００４９】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００５０】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００５１】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００５２】
ＵＥ１００は、ユーザインターフェイス及びバッテリを備えてもよい。ユーザインターフェイスは、ＵＥ１００を所持するユーザとのインターフェイスであり、例えば、ディスプレイ、マイク、スピーカ、及び各種ボタン等を含む。ユーザインターフェイスは、ユーザからの操作を受け付けて、該操作の内容を示す信号を制御部１３０に出力する。バッテリは、ＵＥ１００の各ブロックに供給すべき電力を蓄える。
【００５３】
（ｅＮＢ２００の構成）
図５は、ｅＮＢ２００（基地局）のブロック図である。図５に示すように、ｅＮＢ２００は、送信部２１０、受信部２２０、制御部２３０、及びバックホール通信部２４０を備える。
【００５４】
送信部２１０は、制御部２３０の制御下で各種の送信を行う。送信部２１０は、アンテナ及び送信機を含む。送信機は、制御部１３０が出力するベースバンド信号（送信信号）を無線信号に変換してアンテナから送信する。
【００５５】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００５６】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００５７】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００５８】
（単一セルＰＴＭ伝送）
以下において、単一セルＰＴＭ伝送（ＳＣＰＴＭ）について説明する。ＳＣＰＴＭは、無線リソースの利用効率を高めつつマルチキャスト伝送を実現する。図６は、第１実施形態に係るＳＣＰＴＭ関連動作を説明するための図である。
【００５９】
図６に示すように、ＳＣＰＴＭにおいて、ｅＮＢ２００は、ＰＤＳＣＨを使用して、単一のセルによりマルチキャストデータを送信する。すなわち、ＭＢＳＦＮエリア単位でのマルチキャスト／ブロードキャスト伝送が適用されるＭＢＭＳとは異なり、ＳＣＰＴＭは、セル単位でのマルチキャスト伝送が適用される。
【００６０】
同一のマルチキャストデータを受信する複数のＵＥ１００（ＵＥ１００−１、ＵＥ１００−２…）は、ＵＥグループを構成する。当該ＵＥグループ内の各ＵＥ１００には、共通のグループ識別子が割り当てられている。グループ識別子は、例えばＴＭＧＩ（Ｔｅｍｐｏｒａｒｙ  Ｍｏｂｉｌｅ  Ｇｒｏｕｐ  Ｉｄｅｎｔｉｔｙ）又はグループＲＮＴＩである。グループ識別子は、ｅＮＢ２００（又はＭＣＥ１１）により割り当てられる。或いは、グループ識別子は、コアネットワーク（ＥＰＣ２０）のエンティティにより割り当てられてもよい。或いは、グループ識別子は、アプリケーションサーバ（例えば、ＧＧＳ  ＡＳ）により割り当てられてもよい。
【００６１】
ＳＣＰＴＭが適用される典型的なアプリケーションは、グループ通信サービス（主に、グループ通話サービス）である。グループ通信サービスにおいては、下りリンクにマルチキャスト伝送が適用され、上りリンクにユニキャスト伝送が適用され得る。
【００６２】
（半永続スケジューリング）
ＰＤＳＣＨにおける無線リソース割り当ては、通常、ＰＤＣＣＨを介した動的スケジューリングである。具体的には、サブフレーム内のＰＤＳＣＨの割り当てごとに、当該サブフレーム内のＰＤＣＣＨを介してＵＥ１００にスケジューリング情報が送信される。
【００６３】
スケジューリング情報は、割り当て無線リソース（リソースブロック等）及びトランスポートフォーマットを示す情報である。動的スケジューリングにおいて、ＰＤＣＣＨを介して伝送されるスケジューリング情報は、１回限りの割当てに使用される。
【００６４】
しかしながら、このような動的スケジューリングをＳＣＰＴＭに適用する場合、スケジューリングが複雑になる懸念がある。
【００６５】
そこで、第１実施形態において、動的スケジューリングに代えて、半永続スケジューリング（ＳＰＳ：Ｓｅｍｉ−Ｐｅｒｓｉｓｔｅｎｔ  Ｓｃｈｅｄｕｌｉｎｇ）をＳＣＰＴＭに適用する。以下において、半永続スケジューリング（ＳＰＳ：Ｓｅｍｉ−Ｐｅｒｓｉｓｔｅｎｔ  Ｓｃｈｅｄｕｌｉｎｇ）について説明する。
【００６６】
ＳＰＳにおいて、１つのスケジューリング情報は、１サブフレームだけでなく、以後の多数のサブフレームにも適用される。すなわち、当該スケジューリング情報により示される無線リソース・トランスポートフォーマットを周期的に適用することで、スケジューリング情報の伝送に伴うオーバーヘッドを削減する。
【００６７】
ＳＰＳは、伝送すべきデータが周期的に発生し、且つ、データレートが一定であるサービス（例えば、音声サービス）に好適である。よって、ＳＰＳは、グループ通信（ＳＣＰＴＭ）に好適である。
【００６８】
ＳＰＳの設定情報は、ＲＲＣメッセージによりｅＮＢ２００からＵＥ１００に送信される。ＳＰＳの設定情報は、例えばＳＰＳ周期（ｓｅｍｉＰｅｒｓｉｓｔＳｃｈｅｄＩｎｔｅｒｖａｌ）を含む。ＳＰＳの設定情報は、後述するＳＰＳ  Ｃ−ＲＮＴＩ（Ｃｅｌｌ−Ｒａｄｉｏ  Ｎｅｔｗｏｒｋ  Ｔｅｍｐｏｒａｒｙ  ＩＤ）も含む。これに対し、ＳＰＳの有効化指示及びスケジューリング情報は、ＰＤＣＣＨを介してｅＮＢ２００からＵＥ１００に送信される。
【００６９】
具体的には、ＳＰＳを有効化するＰＤＣＣＨ（以下、「ＳＰＳ有効化ＰＤＣＣＨ」と称する）は、特別なＣ−ＲＮＴＩにより識別される。この特別なＣ−ＲＮＴＩは、ＳＰＳ  Ｃ−ＲＮＴＩと称される。ＳＰＳ  Ｃ−ＲＮＴＩは、ＵＥ１００に固有であり、各ＵＥ１００に一意のＳＰＳ  Ｃ−ＲＮＴＩが割り当てられる。
【００７０】
ｅＮＢ２００は、ＳＰＳ有効化ＰＤＣＣＨのＣＲＣをＳＰＳ  Ｃ−ＲＮＴＩによりマスクする。ＵＥ１００は、自身のＳＰＳ  Ｃ−ＲＮＴＩにより、ＳＰＳ有効化ＰＤＣＣＨを受信（復号）した場合、ＳＰＳ有効化ＰＤＣＣＨ中のスケジューリング情報（無線リソース・トランスポートフォーマット）を記憶し、ＲＲＣメッセージにより設定されたＳＰＳ間隔ごとに、そのスケジューリング情報を適用する。なお、ｅＮＢ２００は、ＳＰＳを有効にするのと同様に、ＳＰＳを無効にすることもできる。
【００７１】
（ｅＮＢ２００の動作）
以下において、第１実施形態に係るｅＮＢ２００の動作について説明する。第１実施形態において、ｅＮＢ２００は、複数のＵＥ１００を含むＵＥグループが在圏するセルを管理する。
【００７２】
ｅＮＢ２００の制御部２３０は、複数のＵＥ１００に対してマルチキャストデータの送信を開始する場合、ＰＤＣＣＨを介してＳＰＳの有効化を複数のＵＥ１００のそれぞれに指示する。ｅＮＢ２００の送信部２１０は、ＳＰＳを使用して、ＰＤＳＣＨを介して複数のＵＥ１００にマルチキャストデータを送信する。このように、ＰＤＳＣＨを介したマルチキャスト伝送（すなわち、ＳＣＰＴＭ）にＳＰＳを適用することにより、効率的なマルチキャスト伝送を実現することができる。
【００７３】
ここで、マルチキャストデータの送信を開始した後、ＵＥグループに新たなＵＥ１００が参加する場合を想定する。このようなＵＥ１００（以下、「途中参加ＵＥ１００」と称する）は、ＳＰＳの設定情報をＲＲＣメッセージによりｅＮＢ２００から受信することができても、ＳＰＳ有効化ＰＤＣＣＨを受信することができない。この場合、途中参加ＵＥ１００は、ＳＰＳを有効化することができないため、マルチキャストデータを受信することができない。
【００７４】
そこで、第１実施形態において、ｅＮＢ２００の制御部２３０は、マルチキャストデータの送信を開始した後においても、ＵＥグループ内のＵＥ１００に対してＳＰＳの有効化を少なくとも１回指示する。例えば、ｅＮＢ２００の制御部２３０は、当該有効化を繰り返し指示する。当該有効化を定期的にグループ内のＵＥ１００に指示してもよい。すなわち、ＳＰＳ有効化ＰＤＣＣＨをＵＥグループに定期的に送信する。
【００７５】
ここで、ＳＰＳ有効化ＰＤＣＣＨの送信間隔は、要求されるグループ通信セットアップ時間を満たすことが好ましい。グループ通信セットアップ時間とは、ＵＥ１００がグループ通信を開始したいと判断してから、実際にグループ通信（主に受信）を開始するまでの時間である。例えば、要求されるグループ通信セットアップ時間が５００ｍｓ以下である場合、ＳＰＳ有効化ＰＤＣＣＨを少なくとも５００ｍｓに１回送信していれば、当該仕様を満足できる。
【００７６】
（ＵＥ１００の動作）
以下において、第１実施形態に係るＵＥ１００の動作について説明する。第１実施形態において、ＵＥ１００は、複数のＵＥ１００を含むＵＥグループに属する。
【００７７】
ＵＥ１００の制御部１３０は、ｅＮＢ２００からＳＰＳの有効化指示（ＳＰＳ有効化ＰＤＣＣＨ）を受信した場合、ＳＰＳを有効化する。ＵＥ１００の受信部１１０は、ＳＰＳを使用して、ＰＤＳＣＨを介してｅＮＢ２００から複数のＵＥ１００に送信されるマルチキャストデータを受信する。このように、ＰＤＳＣＨを介したマルチキャスト伝送（すなわち、ＳＣＰＴＭ）にＳＰＳを適用することにより、効率的なマルチキャスト伝送を実現することができる。
【００７８】
また、ＵＥ１００が途中参加ＵＥ１００である場合でも、上述したように、ｅＮＢ２００がＳＰＳ有効化ＰＤＣＣＨを繰り返し送信することにより、ｅＮＢ２００からＳＰＳ有効化ＰＤＣＣＨを受信することができる。
【００７９】
しかしながら、ｅＮＢ２００がＳＰＳ有効化ＰＤＣＣＨを繰り返し送信する場合、同一のＵＥ１００がＳＰＳ有効化ＰＤＣＣＨを複数回受信し得る。
【００８０】
そこで、第１実施形態において、ＵＥ１００の制御部１３０は、ＳＰＳ有効化ＰＤＣＣＨを受信した後においてｅＮＢ２００からＳＰＳ有効化ＰＤＣＣＨを改めて受信した場合、該ＳＰＳ有効化ＰＤＣＣＨを無視する。このように、２回目以降のＳＰＳ有効化ＰＤＣＣＨを無視することにより、同一のＵＥ１００がＳＰＳ有効化ＰＤＣＣＨを複数回受信しても、予期せぬエラーの発生を防止することができる。
【００８１】
（動作シーケンスの一例）
以下において、第１実施形態に係る動作シーケンスの一例について説明する。図７は、第１実施形態に係る動作シーケンスの一例を示す図である。本シーケンスにおいて、ＵＥ１００−１を含む複数のＵＥ１００がＳＣＰＴＭによるグループ通信を開始し、ＵＥ１００−２がグループ通信に途中参加する場合を想定する。
【００８２】
図７に示すように、ステップＳ１０１において、ｅＮＢ２００の送信部２１０は、ＳＰＳの設定情報（ＳＰＳ−Ｃｏｎｆｉｇ）をＲＲＣメッセージにより各ＵＥ１００（ＵＥ１００−１、ＵＥ１００−２）に送信する。ＳＰＳの設定情報は、ＳＰＳ周期（ｓｅｍｉＰｅｒｓｉｓｔＳｃｈｅｄＩｎｔｅｒｖａｌ）、ＳＰＳ  Ｃ−ＲＮＴＩ等を含む。各ＵＥ１００において、受信部１１０がＳＰＳの設定情報を受信し、制御部１３０がＳＰＳの設定情報を記憶する。なお、ＳＰＳ  Ｃ−ＲＮＴＩに代えて、グループ識別子（例えば、グループＲＮＴＩ）を用いてもよい。
【００８３】
ステップＳ１０２において、ｅＮＢ２００の送信部２１０は、ＳＰＳ有効化ＰＤＣＣＨ（ＳＰＳ  ａｃｔｉｖａｔｉｏｎ）をＵＥ１００−１に送信する。この時点では、ＵＥ１００−２はグループ通信に参加していないことに留意すべきである。なお、ｅＮＢ２００の送信部２１０は、後述するステップＳ１０４の前において、ＳＰＳ有効化ＰＤＣＣＨを複数回送信してもよい。
【００８４】
ステップＳ１０３において、ＵＥ１００−１の受信部１１０がＳＰＳ有効化ＰＤＣＣＨを受信したことに応じて、ＵＥ１００−１の制御部１３０は、当該ＳＰＳ有効化ＰＤＣＣＨ中のスケジューリング情報を記憶してＳＰＳを有効化する。
【００８５】
ステップＳ１０４において、ｅＮＢ２００の送信部２１０は、ＵＥ１００−１を含む複数のＵＥ１００に対するマルチキャストデータの送信を開始する。具体的には、ｅＮＢ２００の送信部２１０は、ＳＰＳを使用して、ＰＤＳＣＨを介して複数のＵＥ１００にマルチキャストデータを送信する。ＵＥ１００−１の受信部１１０は、マルチキャストデータを受信する。
【００８６】
その後、ステップＳ１０５において、ＵＥ１００−２は、グループ通信（ＵＥグループ）に参加する。ここで、ＵＥ１００−２には、ネットワーク側からグループ識別子が割り当てられてもよい。
【００８７】
なお、ＵＥ１００−２は、ステップＳ１０１でＳＰＳの設定情報を受信せずに、ステップＳ１０５でＳＰＳの設定情報を受信してもよい。この場合、ＵＥ１００−２は、後述する興味通知（ＧＣ  Ｉｎｄｉｃａｔｉｏｎ）をｅＮＢ２００に送信することにより、ＳＰＳの設定情報をｅＮＢ２００から受信してもよい。
【００８８】
ステップＳ１０６において、ｅＮＢ２００の送信部２１０は、ＳＰＳ有効化ＰＤＣＣＨを各ＵＥ１００（ＵＥ１００−１、ＵＥ１００−２）に送信する。各ＵＥ１００において、受信部１１０がＳＰＳ有効化ＰＤＣＣＨを受信する。
【００８９】
ステップＳ１０７において、ＵＥ１００−２の制御部１３０は、ＳＰＳ有効化ＰＤＣＣＨ中のスケジューリング情報を記憶してＳＰＳを有効化する。
【００９０】
ステップＳ１０８において、ＵＥ１００−１の制御部１３０は、２回目以降のＳＰＳ有効化ＰＤＣＣＨを無視する。
【００９１】
ステップＳ１０９において、ｅＮＢ２００の送信部２１０は、ＵＥ１００−１及びＵＥ１００−２を含む複数のＵＥ１００にマルチキャストデータを送信する。具体的には、ｅＮＢ２００の送信部２１０は、ＳＰＳを使用して、ＰＤＳＣＨを介して複数のＵＥ１００にマルチキャストデータを送信する。各ＵＥ１００（ＵＥ１００−１、ＵＥ１００−２）の受信部１１０は、マルチキャストデータを受信する。
【００９２】
（第１実施形態のまとめ）
上述したように、ＰＤＳＣＨを介したマルチキャスト伝送（すなわち、ＳＣＰＴＭ）にＳＰＳを適用することにより、効率的なマルチキャスト伝送を実現することができる。
【００９３】
また、マルチキャストデータの送信を開始した後においても、ＵＥグループ内のＵＥ１００に対してＳＰＳの有効化を繰り返し指示することにより、途中参加ＵＥ１００がＳＰＳを有効化してマルチキャストデータを受信することができる。
【００９４】
［第２実施形態］
第２実施形態について、第１実施形態との相違点を主として説明する。
【００９５】
第２実施形態は、ＳＣＰＴＭにＳＰＳを適用する点については第１実施形態と同様である。しかしながら、第２実施形態は、途中参加ＵＥ１００に関する解決策が第１実施形態とは異なる。
【００９６】
（ｅＮＢ２００の動作）
以下において、第２実施形態に係るｅＮＢ２００の動作について説明する。
【００９７】
上述したように、ｅＮＢ２００の送信部２１０は、ＳＰＳの設定に関する設定情報（ＳＰＳ−Ｃｏｎｆｉｇ）を含むメッセージ（ＲＲＣメッセージ）を送信する。第２実施形態において、マルチキャストデータの送信を開始した後において当該メッセージを送信する場合、ｅＮＢ２００の制御部２３０は、ＳＰＳが有効化されていることを示す有効化通知情報をメッセージに含める。
【００９８】
これにより、途中参加ＵＥ１００は、ＳＰＳの設定情報をＲＲＣメッセージによりｅＮＢ２００から受信することにより、ＳＰＳが有効化されていることを把握することができる。よって、途中参加ＵＥ１００は、ＳＰＳを有効化し、マルチキャストデータを受信することができる。
【００９９】
メッセージは、個別ＲＲＣメッセージである。例えば、メッセージは、ＲＲＣ  Ｃｏｎｎｅｃｔｉｏｎ  Ｒｅｃｏｎｆｉｇｕｒａｔｉｏｎメッセージ、ＲＲＣ  Ｃｏｎｎｅｃｔｉｏｎ  Ｒｅｅｓｔａｂｌｉｓｈｍｅｎｔメッセージ、又はＲＲＣ  Ｃｏｎｎｅｃｔｉｏｎ  Ｓｅｔｕｐメッセージである。
【０１００】
但し、メッセージは、個別ＲＲＣメッセージに限定されない。メッセージは、ブロードキャストＲＲＣメッセージ（例えば、システム情報メッセージ）であってもよいし、ＭＡＣメッセージであってもよい。なお、有効化通知情報は、ＳＰＳに適用されるスケジューリング情報（無線リソース・トランスポートフォーマットの情報）を含むことが好ましい。
【０１０１】
第２実施形態において、ｅＮＢ２００の受信部２２０は、マルチキャストデータの受信に対する興味に関する興味通知（ＧＣ  Ｉｎｄｉｃａｔｉｏｎ）をＵＥ１００から受信してもよい。マルチキャストデータの送信を開始した後において興味通知を受信した場合、ｅＮＢ２００の送信部２１０は、有効化通知情報を含むメッセージを当該ＵＥ１００に送信する。
【０１０２】
このように、ｅＮＢ２００が、途中参加ＵＥ１００を特定し、有効化通知情報を含むメッセージを途中参加ＵＥ１００に送信することにより、より確実に途中参加ＵＥ１００にマルチキャストデータを受信させることができる。
【０１０３】
（ＵＥ１００の動作）
以下において、第２実施形態に係るＵＥ１００の動作について説明する。
【０１０４】
第２実施形態において、ＵＥ１００の受信部１１０は、ＳＰＳの設定を示す設定情報（ＳＰＳ−Ｃｏｎｆｉｇ）を含むメッセージをｅＮＢ２００から受信する。ＳＰＳが有効化されていることを示す有効化通知情報がメッセージに含まれている場合、ＵＥ１００の制御部１３０は、設定情報（ＳＰＳ−Ｃｏｎｆｉｇ）に対応するＳＰＳが有効化されていると判断する。これにより、ＵＥ１００が途中参加ＵＥ１００である場合でも、ＳＰＳが有効化されていることを把握することができる。
【０１０５】
第２実施形態において、ＵＥ１００の送信部１２０は、マルチキャストデータの受信に対する興味に関する興味通知（ＧＣ  Ｉｎｄｉｃａｔｉｏｎ）をｅＮＢ２００に送信してもよい。興味通知は、ＵＥ１００が興味を持つグループ通信（ＵＥグループ）に対応するグループ識別子を含んでもよい。興味通知の送信後、ＵＥ１００の受信部１１０は、有効化通知情報を含むメッセージをｅＮＢ２００から受信する。これにより、ＵＥ１００が途中参加ＵＥ１００である場合でも、より確実にマルチキャストデータを受信することができる。
【０１０６】
（動作シーケンスの一例）
以下において、第２実施形態に係る動作シーケンスの一例について説明する。図８は、第２実施形態に係る動作シーケンスの一例を示す図である。本シーケンスにおいて、ＵＥ１００−１を含む複数のＵＥ１００がＳＣＰＴＭによるグループ通信を開始し、ＵＥ１００−２がグループ通信に途中参加する場合を想定する。
【０１０７】
図８に示すように、ステップＳ２０１において、ｅＮＢ２００の送信部２１０は、ＳＰＳの設定情報（ＳＰＳ−Ｃｏｎｆｉｇ）をＲＲＣメッセージによりＵＥ１００−１に送信する。ＳＰＳの設定情報は、ＳＰＳ周期（ｓｅｍｉＰｅｒｓｉｓｔＳｃｈｅｄＩｎｔｅｒｖａｌ）、ＳＰＳ  Ｃ−ＲＮＴＩ等を含む。ＵＥ１００−１において、受信部１１０がＳＰＳの設定情報を受信し、制御部１３０がＳＰＳの設定情報を記憶する。
【０１０８】
ステップＳ２０２において、ｅＮＢ２００の送信部２１０は、ＳＰＳ有効化ＰＤＣＣＨ（ＳＰＳ  ａｃｔｉｖａｔｉｏｎ）をＵＥ１００−１に送信する。この時点では、ＵＥ１００−２はグループ通信に参加していないことに留意すべきである。
【０１０９】
ステップＳ２０３において、ＵＥ１００−１の受信部１１０がＳＰＳ有効化ＰＤＣＣＨを受信したことに応じて、ＵＥ１００−１の制御部１３０は、当該ＳＰＳ有効化ＰＤＣＣＨ中のスケジューリング情報を記憶してＳＰＳを有効化する。
【０１１０】
ステップＳ２０４において、ｅＮＢ２００の送信部２１０は、ＵＥ１００−１を含む複数のＵＥ１００に対するマルチキャストデータの送信を開始する。具体的には、ｅＮＢ２００の送信部２１０は、ＳＰＳを使用して、ＰＤＳＣＨを介して複数のＵＥ１００にマルチキャストデータを送信する。ＵＥ１００−１の受信部１１０は、マルチキャストデータを受信する。
【０１１１】
その後、ステップＳ２０５において、ＵＥ１００−２は、グループ通信（ＵＥグループ）に参加する。ここで、ＵＥ１００−２には、ネットワーク側からグループ識別子が割り当てられてもよい。また、ＵＥ１００−２の送信部１２０は、興味通知（ＧＣ  Ｉｎｄｉｃａｔｉｏｎ）をｅＮＢ２００に送信してもよい（ステップＳ２０５）。
【０１１２】
ステップＳ２０６において、ｅＮＢ２００の送信部２１０は、ＳＰＳの設定情報（ＳＰＳ−Ｃｏｎｆｉｇ）及び有効化通知情報（ＳＰＳ  ｃｕｒｒｅｎｔｌｙ  ａｃｔｉｖａｔｅｄ）をＲＲＣメッセージによりＵＥ１００−１に送信する。ＵＥ１００−１において、受信部１１０がＳＰＳの設定情報及び有効化通知情報を受信し、制御部１３０がＳＰＳの設定情報を記憶する。有効化通知情報は、ＳＰＳのスケジューリング情報（無線リソース・トランスポートフォーマットの情報）を含む。
【０１１３】
ステップＳ２０７において、ＵＥ１００−２の制御部１３０は、ＳＰＳの設定情報及び有効化通知情報に基づいて、ＳＰＳを有効化する。
【０１１４】
ステップＳ２０８において、ｅＮＢ２００の送信部２１０は、ＵＥ１００−１及びＵＥ１００−２を含む複数のＵＥ１００にマルチキャストデータを送信する。具体的には、ｅＮＢ２００の送信部２１０は、ＳＰＳを使用して、ＰＤＳＣＨを介して複数のＵＥ１００にマルチキャストデータを送信する。各ＵＥ１００（ＵＥ１００−１、ＵＥ１００−２）の受信部１１０は、マルチキャストデータを受信する。
【０１１５】
（第２実施形態のまとめ）
上述したように、ｅＮＢ２００は、マルチキャストデータの送信を開始した後においてメッセージを送信する場合、ＳＰＳが有効化されていることを示す有効化通知情報を当該メッセージに含める。これにより、当該メッセージを受信した途中参加ＵＥ１００は、ＳＰＳを有効化してマルチキャストデータを受信することができる。
【０１１６】
［その他の実施形態］
上述した第１実施形態及び第２実施形態は、別個独立して実施される場合に限定されない。第１実施形態及び第２実施形態を組み合わせて実施してもよい。
【０１１７】
上述した第１実施形態及び第２実施形態において、移動通信システムとしてＬＴＥシステムを例示した。しかしながら、本出願の内容は、ＬＴＥシステムに限定されない。ＬＴＥシステム以外のシステムに本出願の内容を適用してもよい。
【０１１８】
なお、米国仮出願第６２／１１００４５号（２０１５年１月３０日出願）の全内容が、参照により、本願明細書に組み込まれている。
【図１】
2016121671.tif 000003
【図２】
2016121671.tif 000004
【図３】
2016121671.tif 000005
【図４】
2016121671.tif 000006
【図５】
2016121671.tif 000007
【図６】
2016121671.tif 000008
【図７】
2016121671.tif 000009
【図８】
2016121671.tif 000010
【国際調査報告】
2016121671.tif 000011
2016121671.tif 000012